(57)【要約】【課題】防草効果に優れ、モルタル等で覆われた無土壌面でも補水力が高く破損や腐蝕がしにくく植生基盤土が流出することなく地域景観の保全形成に効果を有し交通視界の妨げにならない植物が長期間生育可能で施工が容易に行える軽量な植生緑化マット体の提供。【解決手段】植生緑化マット体を形成するシートを、腐食しにくく遮光率９５％の遮光ネットシート、全面有孔ポリシート、植物の根を通す不織布の順に重ねて底部を形成し、その底部上に植生基盤土を４センチ厚で敷き詰め圧縮して２センチ厚の植生基盤土に形成しその上に植物の根を通す不織布、種子、水溶性紙シート、全面有孔ポリシート、遮光率６０％の遮光ネットシートの順に重ねて上部を形成し、底部と上部が一体化し植生基盤土の移動を抑えて構造体を堅持するように縦横所定間隔で腐蝕しにくいクレモナ糸を用いて縫製した植生緑化マット体。【選択図】図１
2014039507.tif 000002
【特許請求の範囲】
【請求項１】
遮光ネットシート、全面有孔シート、不織布の順序で重ね、その上に圧縮形成した１センチ〜５センチ厚の植生基盤土を敷き詰め、その上に不織布、種子、水溶性シート、全面有孔シート、遮光ネットシートの順に重ね、縦横所定間隔で縫製して形成したことを特徴とする植生緑化マット体。
【請求項２】
前記植生マット体において、遮光ネットシート、全面有孔シート、不織布、不織布、全面有孔シート、遮光ネットシートの６枚を積層した防草効果を有することを特徴とする植生緑化マット体。
【請求項３】
不織布で覆われた植生基盤土の上部面と下部面に縦横１７ミリ間隔で直径７ミリ〜８ミリの孔を有した全面有孔シートを形成したことを特徴とする請求項１に記載の植生緑化マット体。
【請求項４】
全面有孔シートの上部面と下部面の孔面が重ならないように孔が配置されたことを特徴とする請求項１の植生緑化マット体。
【発明の詳細な説明】
【技術分野】
【０００１】
本発明は、道路の分離帯や法面等の景観緑化を図る雑草防草シートを兼ね備えた植生緑化マット体に関するものである。
【背景技術】
【０００２】
道路の分離帯や法面に生える雑草は、草丈も高くなり見通しが悪く交通の安全に支障をきたし、周囲の景観にも悪影響を及ぼすため、毎年膨大な経費を掛けて除草作業が行われてきた。そこで近年は、分離帯等の表土部分をモルタルセメントで覆う外に特許文献１の無機質粒子および無機質粒子を含有する合成樹脂より選ばれる表面層、改質アスファルト層および、基材層の少なくとも３層を積層した防草シートやこの３層に加え改質アスファルト層および、合成樹脂、ゴム、無機質粒子および無機質粒子を含有する合成樹脂より選ばれる裏面層との少なくとも５層を積層した防草シートか特許文献２のシート両面に多数の凸部を交互に形成した遮光性かつ遮水性の合成樹脂製エンボスシートを除草すべき箇所に敷設固定して雑草が生育しないようにする試みがなされているが雑草が生育しない反面むきだしのモルタル面や防草シート面だけが広がり地域景観の悪化が問題となりつつある。
【先行技術文献】
【特許文献】
【０００３】
【特許文献１】特開２００２−２７２３４８号公報
【特許文献２】特願２００６−１７７１２２号公報
【発明の概要】
【発明が解決しようとする課題】
【０００４】
そこで、本発明は上記の問題を解決すべく防草効果に優れ、モルタル等で覆われた無土壌面でも補水力が高く、破損や腐蝕がしにくく、植生基盤土が流出することなく、地域景観と交通視界の妨げにならず、植物が長期間生育可能で施工が容易に行える軽量な植生緑化マット体の提供。
【課題を解決するための手段】
【０００５】
植生緑化マット体を形成するシートを底部から遮光率９５％のポリエチレン製遮光ネットシート、ポリエチレン製の全面有孔ポリシート、ポリエステル製で植物の根と水は通すが芽を通さない不織布の順に重ねて底部を形成し、当該底部上に軽量で補水性が高い混合基盤土（水苔３０％・ファイバー３０％・ココピート２０％・良質土２０％の混合土に化成肥料と遅効性肥料を配合）を４センチ厚で敷き詰め、圧縮して２センチ厚の植生基盤土に形成し、その上にポリエステルで植物の根と水は通すが芽を通さない不織布、種子、水溶性紙シート、ポリエチレン製の全面有孔ポリシート、遮光率６０％のポリエチレン製遮光ネットシートの順に重ねて上部を形成し、底部と上部が一体化し植生基盤土と種子の移動を抑えて構造体を堅持するように縦横所定間隔でクレモナ糸を用いて縫製して植生緑化マット体とする。
【０００６】
また、モルタル等で覆われた無土壌面に敷設される植生緑化マット体は、上記配合率の混合基盤土を５センチ厚に圧縮形成し縫製した植生緑化マット体を使用して無土壌面の早期緑化を図る。
なお、全面有孔ポリシートは、雑草の生育を抑えるとともに雨水をスムーズにマット体内の基盤土への補水を図るための孔開きシートであり、直径７ミリ〜８ミリの孔が縦横１７ミリの間隔で配置されており、雑草が地下から孔面を通り生育することを防止するために上部と下部の孔面が重ならないように植生緑化マット内で形成されている。
【０００７】
本発明の植生緑化マット体は、交通視野の支障にならない高さの植物で、地域景観の向上を図れる短草植物種子（例えばタキイ種苗のセンチピードグラス  テイフ・ブレア、野芝、ホワイトクローバーやセダム等）を内包しており、従来除草作業が行われてきた分離帯や法面にこれを敷設固定して防草防除と緑化を図る。また、モルタル面や防草シート面にも敷設固定して景観緑化を図る。
【発明の効果】
【０００８】
従来除草作業が行われてきた箇所に植生緑化マット体を敷設固定した場合は、地表への太陽光が遮断されるため雑草種が発芽しても生育することがなく、また植生緑化マット体表面に雑草種が飛散してきても、遮光ネットシート、全面有孔シート、不織布の３枚のシートで覆われているため表面に用土と水分がなく雑草種が発芽生育することはない。なお、敷設する植生緑化マット体に内包される種子は、草丈が３０センチ以内で生育がほふく茎の短草種（例えばタキイ種苗のセンチピードグラス  テイフ・ブレア、野芝、ホワイトクローバー、セダム等）とし、植生緑化マット体に発芽生育したほふく茎型の短草は、やがて植生緑化マット体上にランナーして密度の高い草地を形成し、よりいっそう雑草の侵入を防止し、毎年行なわれてきた除草経費の削減と道路交通視野の改善がされるとともに地域景観の向上が図ることができる。
【０００９】
また、腐食しにくい材質で形成された植生緑化マット体は、耐久性の確保と複数のシートによる水分蒸発の抑制を実現し、補水期間が長期に渡り確保できるため、従来水管理が必要な屋上緑化や屋根緑化等での水管理上の省力化が図れるとともに水管理が不可能なモルタルで覆われた分離帯や法面等の無土壌面でも雑草を抑え、自然降雨のみで希望植物が生育可能な植生緑化マット体でもある。
【図面の簡単な説明】
【００１０】
【図１】植生緑化マット体の構造を示す断面説明図である。
【図２】２枚の全面有孔ポリシートを説明する断面説明図である。
【発明を実施するための形態】
【００１１】
以下、図面を参照して本発明の具体的な実施形態を詳述する。
【実施例】
【００１２】
図１は、植生緑化マット体の構造を説明する構造断面図である。この植生緑化マット体を形成するシート類は、いずれも破損や腐蝕がしにくい材質で、植生基盤土の流出をしない網目形態で形成される。まず植物の根を通し太陽光を９５％カットするポリエチレン製の遮光ネットシート１、全面に直径８ミリの孔が約７％占めるポリエチレン製の全面有孔ポリシート２、植物の根と水は通すが芽を通さないポリエステルの不織布３の順に重ねて底部を形成し、その底部上に軽量で補水性が高い混合基盤土（水苔３０％・ファイバー３０％・ココピート２０％・良質土２０％の混合土に化成肥料と遅効性肥料を配合）を４センチ厚で敷き詰め圧縮して２センチ厚の植生基盤土４に形成し、その上に植生基盤土の流出がなく植物の根と水は通すが芽を通さないポリエステルの不織布５、短草種子６、水溶性の紙シート７、全面に直径８ミリの孔が約７％占めるポリエチレン製の全面有孔ポリシート８、遮光率６０％のポリエチレン製遮光ネットシート９の順に重ねて上部を形成し、底部と上部が一体化し植生基盤土と種子の移動を抑え、構造体を堅持するように縦横所定間隔でクレモナ糸を用いて縫製して植生緑化マット体１０とする。
【００１３】
当該植生緑化マット体に播種される種子は、植生基盤土の上面に敷設された不織布の上に播種され、水溶性紙シート（吸水性が高いトイレットペーパーと同等品）、全面有孔シート、遮光率６０％の遮光ネットシートの順で覆われるため直射日光が直接種子に当たらないので、乾燥することもなく発芽に必要な水・酸素・温度の３要素をこの３枚のシートにより保持され、さらに生育に必要な用土と養分の植生基盤土を内包しているので一般の種子散布より発芽が早く、早期緑化を可能とする植生緑化マット体である。なお、全面有孔シートは、全面有孔ポリシートの代わりに太陽光を通さないアスファルトルーフィングに８ミリの孔を同じように形成して使用しても良い。
【００１４】
当該植生緑化マット体を従来雑草が生え除草作業が行われてきた分離帯や法面等に敷設固定する場合には、植生緑化マット体と地面との間に空隙を作らないように雑草の刈取後に行い、植生緑化マット体と設置面とを密着させ止ピンで地面に固定する。
【００１５】
地面に敷設固定された植生緑化マット体は、遮光率９５％と６０％の遮光ネットと無孔部分が約９３％占める２枚の全面有孔ポリシートと内包された植生基盤土によりマット体下の地面に太陽光が届かず雑草が生育することがなく、また同シートの遮光ネットシートと全面有孔ポリシートにより植生緑化マット体内の水分蒸発が抑制されるとともに地面からの蒸発も植生緑化マット体下で押さえられ長期補水期間が可能となり、植物の自然水での長期生育を可能とする。
【００１６】
図２は、植生緑化マット体に組み込まれた全面有孔ポリシートの役割を示す説明図である。全面有孔ポリシートは、植生基盤土４をサンドイッチ状に挟み込むように配置されており、１平方メートル当り直径８ミリの孔が１４５０個形成されており、シート面に対する孔面の割合は約７パーセントを占める。孔面は、上部面の全面有孔ポリシート８と下部面の全面有孔ポリシート２の孔が重ならないように配置され、植生緑化マット体下で雑草が発芽したとしても芽が植生緑化マット体上に生長することがないため、植生緑化マット体上には希望の草種を生育させることが可能となる。
【産業上の利用可能性】
【００１７】
植生緑化マット体は、地表への太陽光を遮断するため、雑草が生育することがなく植生基盤体としての保肥・補水力が高く、軽量で施工が容易な上、破損や腐蝕がしにくく植生基盤土が流出しない特徴を持っているので、除草管理が必要な道路や荷重制限が厳しい既存のビル屋上や工場屋根等の緑化基盤体として、また景観形成等における自然環境の復元緑化資材としてこれから大いに利用される可能性の高いものである。
【符号の説明】
【００１８】
１    遮光率９５％の遮光ネット
２    全面有孔ポリシート
３    不織布
４    植生基盤土
５    不織布
６    種子
７    水溶性紙シート
８    全面有孔ポリシート
９    遮光率６０％の遮光ネット
１０    植生緑化マット体
【図１】
2014039507.tif 000003
【図２】
2014039507.tif 000004
【手続補正書】
【提出日】平成24年10月11日(2012.10.11)
【手続補正１】
【補正対象書類名】特許請求の範囲
【補正対象項目名】請求項２
【補正方法】変更
【補正の内容】
【請求項２】
前記植生緑化マット体において、遮光ネットシート、全面有孔シート、不織布、不織布、全面有孔シート、遮光ネットシートの６枚を積層した防草効果を有することを特徴とする植生緑化マット体。
【手続補正２】
【補正対象書類名】特許請求の範囲
【補正対象項目名】請求項３
【補正方法】変更
【補正の内容】
【請求項３】
不織布で覆われた植生基盤土の上側と下側に縦横１７ミリ間隔で直径７ミリ〜８ミリの孔を有した全面有孔シートを形成したことを特徴とする請求項１に記載の植生緑化マット体。
【手続補正３】
【補正対象書類名】特許請求の範囲
【補正対象項目名】請求項４
【補正方法】変更
【補正の内容】
【請求項４】
基盤土を挟んで上側に形成された全面有孔シートと、下側に形成された全面有孔シートの孔の位置が、重ならないように配置されたことを特徴とする請求項１の植生緑化マット体。
【手続補正４】
【補正対象書類名】明細書
【補正対象項目名】０００６
【補正方法】変更
【補正の内容】
【０００６】
また、モルタル等で覆われた無土壌面に敷設される植生緑化マット体は、上記配合率の混合基盤土を５センチ厚に圧縮形成し縫製した植生緑化マット体を使用して無土壌面の早期緑化を図る。
なお、全面有孔ポリシートは、雑草の生育を抑えるとともに雨水をスムーズにマット体内の基盤土への補水を図るための孔開きシートであり、直径７ミリ〜８ミリの孔が縦横１７ミリの間隔で配置されており、雑草が地下から孔面を通り生育することを防止するために基盤土を挟んで上側に形成された全面有孔シートと、下側に形成された全面有孔シートの孔の位置が、重ならないように植生緑化マット内で形成されている。
【手続補正５】
【補正対象書類名】明細書
【補正対象項目名】００１６
【補正方法】変更
【補正の内容】
【００１６】
図２は、植生緑化マット体に組み込まれた全面有孔ポリシートの役割を示す説明図である。全面有孔ポリシートは、植生基盤土４をサンドイッチ状に挟み込むように上側と下側に配置されており、１平方メートル当り直径８ミリの孔が１４５０個形成されており、シート面に対する孔面の割合は約７パーセントを占める。孔面は、上側の全面有孔ポリシート８と下側の全面有孔ポリシート２の孔が重ならないように配置され、植生緑化マット体下で雑草が発芽したとしても芽が植生緑化マット体上に生長することがないため、植生緑化マット体上には希望の草種を生育させることが可能となる。
【手続補正書】
【提出日】平成24年11月15日(2012.11.15)
【手続補正１】
【補正対象書類名】特許請求の範囲
【補正対象項目名】請求項２
【補正方法】変更
【補正の内容】
【請求項２】
前記植生緑化マット体において、遮光ネットシート、全面有孔シート、不織布、不織布、全面有孔シート、遮光ネットシートの６枚を積層した防草効果を有することを特徴とする請求項１に記載の植生緑化マット体。